(57)【要約】【課題】表示装置の不要電磁輻射（ＥＭＩ）の低滅を図る。【解決手段】表示装置において、コラムドライバＣＤ１〜ＣＤ８の各々は、タイミングコントローラ１０からのクロック信号および画像データ信号に基づき、表示パネルを駆動する。タイミングコントローラ１０は、同一のクロック信号を出力する２つのクロック出力ポートおよび、画像データ信号を出力する少なくとも１つのデータ出力ポートを備える。コラムドライバＣＤ１〜ＣＤ８の各々は、その２つのクロック出力ポートのいずれか片方にＬ字形配線のクロック線ＣＬＫ１またはＣＬＫ２を介して接続し、データ出力ポートの各々はＴ字型配線のデータ線ＤＡを介して複数のドライバの全てに接続する。【選択図】図１
2006317828.tif 000002
【特許請求の範囲】
【請求項１】
差動信号方式によって、クロック信号およびそれに同期した画像データ信号を出力するタイミングコントローラと、
前記クロック信号および前記画像データ信号に基づき表示パネルを駆動する複数のドライバとを備える表示装置であって、
前記タイミングコントローラは、
各々一対の差動ペアから成り、同一の前記クロック信号を出力する２つのクロック出力ポートと、
各々一対の差動ペアから成り、前記画像データ信号を出力する少なくとも１つのデータ出力ポートとを備え、
前記ドライバの各々は、前記２つのクロック出力ポートのいずれか片方に接続し、
前記データ出力ポートの各々は、前記複数のドライバの全てに接続する
ことを特徴とする表示装置。
【請求項２】
請求項１記載の表示装置であって、
前記タイミングコントローラの前記クロック出力ポートと前記ドライバとを接続する２つの差動配線の各々は、
前記クロック出力ポートに接続する第１端、終端抵抗により終端された第２端、および前記第１端と前記第２端との間で分岐し前記ドライバに接続する第３端を備え、前記第２端を１つのみ有している
ことを特徴とする表示装置。
【請求項３】
請求項１または請求項２記載の表示装置であって、
前記タイミングコントローラは、
前記クロック出力ポートおよび前記データ出力ポートの出力電流値を、互いに独立して調整可能なように構成されている
ことを特徴とする表示装置。
【請求項４】
差動信号方式によって、クロック信号およびそれに同期した画像データ信号を出力するタイミングコントローラであって、
各々一対の差動ペアから成り、同一の前記クロック信号を出力する２つのクロック出力ポートと、
各々一対の差動ペアから成り、各々が水平または垂直方向の１ライン全体分の前記画像データ信号を出力する少なくとも１つのデータ出力ポートとを備え、
ことを特徴とするタイミングコントローラ。
【請求項５】
請求項４記載のタイミングコントローラであって、
前記クロック出力ポートおよび前記データ出力ポートの出力電流値を、互いに独立して調整可能なように構成されている
ことを特徴とするタイミングコントローラ。
【発明の詳細な説明】
【技術分野】
【０００１】
本発明は、表示装置およびそれに搭載されるタイミングコントローラに関するものであり、特に、差動信号方式を用いた信号伝達の技術に関するものである。
【背景技術】
【０００２】
例えば液晶表示装置などの表示装置は、表示パネルを駆動するコラムドライバ（Column Driver（ＣＤ））に、クロック信号およびそれに同期した画像データ信号を供給するタイミングコントローラ（Timing Controller、以下「Ｔ−ＣＯＮ」）を備えている。Ｔ−ＣＯＮからコラムドライバまでの信号伝送には、信号線本数の削滅、並びに不要電磁輻射（Electro-magnetic Interference、以下「ＥＭＩ」）の低滅を目的として、ｍｉｎｉ−ＬＶＤＳ（Low Voltage Differential Signaling）、ＲＳＤＳ（登録商標）（Reduced Swing Differential Signaling）といった差動信号を用いた伝送方式（以下「差動信号方式」）が近年多用されている。
【０００３】
ｍｉｎｉ−ＬＶＤＳは一般的に、高周波数対応となるＳＸＧＡ（１２８０×１０２４画素）を超える高解像度の表示装置に採用される。その場合は、画面を左右に２分割しての駆動が通常である。即ち、Ｔ−ＣＯＮは、水平方向の１ライン分の画像データを、前半と後半の２つ画像データに分け、２つにグループ分けしたコラムドライバ群に並列に供給する。従って、Ｔ−ＣＯＮの画像データ信号の出力ポートは、画面左側用のポートと画面右側用のポートと個別に有するように２ポート化される（例えば、特許文献１、２）。
【０００４】
一方、ＲＳＤＳは、ｍｉｎｉ−ＬＶＤＳに比較すると、ＳＸＧＡ以下の低周波数域の解像度にて採用されるケースが多く、特にＸＧＡ（１０２４×７６８画素）クラスで多用されている。この場合は、画面全体を一括しての駆動するのが通常である（例えば、特許文献３の図５）。また特許文献３では、コラムドライバを複数個のグループに分け、グループ毎に異なるクロック信号を与える技術が提案されている。
【０００５】
【特許文献１】特開２００４−３５４５６７号公報
【特許文献２】特開２００４−２０５９０１号公報
【特許文献３】特開２００４−４５９８５号公報
【発明の開示】
【発明が解決しようとする課題】
【０００６】
一般的に、Ｔ−ＣＯＮからコラムドライバへ差動信号を伝達する差動配線のレイアウトとしては、Ｔ−ＣＯＮの位置の応じて「Ｌ字型配線」あるいは「Ｔ字型配線」が使用される。
【０００７】
コラムドライバは、例えば後で示す図２〜図４の如く、表示パネルの一辺に沿うように並べて配設される。Ｌ字型配線構造では、Ｔ−ＣＯＮをコラムドライバに接続する回路基板の一端部（例えば８個のコラムドライバを有する場合であれば１個目あるいは８個目のコラムドライバの近傍）に配置し、差動配線をコラムドライバの並びに沿って１方向に配線する（後で示す図５参照）。
【０００８】
またＴ字型配線構造では、Ｔ−ＣＯＮはコラムドライバに接続する基板の中央部（例えば８個のコラムドライバを有する場合であれば４個目および５個目のコラムドライバの近傍）に配置される。コラムドライバから延びる差動配線は途中で左右に分岐して、その分岐点からそれぞれ左右のコラムドライバへの並びに沿って２方向に配線される（後で示す図６参照）。
【０００９】
詳細は後述するが、Ｌ字型配線はＴ字型配線に比べて信号線に流す電流を少なくでき且つ信号波形の歪みが少ないため、ＥＭＩの低減に効果がある。しかしながら、Ｔ−ＣＯＮを基板の一端部に配置してＬ字型配線構造を採ることが困難な場合も多く、現在でもＴ字型配線は一般的に使用されている。
【００１０】
本発明は以上のような課題を解決するためになされたものであり、Ｔ−ＣＯＮを基板の一端部に配置することが困難な場合であっても、信号波形を改善してＥＭＩの低減を図ることが可能なタイミングコントローラおよび表示装置を提供することを目的とする。
【課題を解決するための手段】
【００１１】
本発明に係る表示装置は、差動信号方式によって、クロック信号およびそれに同期した画像データ信号を出力するタイミングコントローラと、前記クロック信号および前記画像データ信号に基づき表示パネルを駆動する複数のドライバとを備える表示装置であって、前記タイミングコントローラは、各々一対の差動ペアから成り、同一の前記クロック信号を出力する２つのクロック出力ポートと、各々一対の差動ペアから成り、前記画像データ信号を出力する少なくとも１つのデータ出力ポートとを備え、前記ドライバの各々は、前記２つのクロック出力ポートのいずれか片方に接続し、前記データ出力ポートの各々が、前記複数のドライバの全てに接続するものである。
【００１２】
本発明に係るタイミングコントローラは、差動信号方式によって、クロック信号およびそれに同期した画像データ信号を出力するタイミングコントローラであって、各々一対の差動ペアから成り、同一の前記クロック信号を出力する２つのクロック出力ポートと、各々一対の差動ペアから成り、各々が水平または垂直方向の１ライン全体分の前記画像データ信号を出力する少なくとも１つのデータ出力ポートとを備えるものである。
【発明の効果】
【００１３】
本発明によれば、タイミングコントローラのクロック出力ポートが２ポート化されているので、ドライバの搭載基板の一端部に配置困難な場合であっても、クロック信号の伝送を、Ｔ字型配線を用いず、Ｌ字型配線のみを通して行うことができる。よって、クロック信号の波形の劣化が抑制され、クロック信号に起因するＥＭＩの成分が低減される。また、データ出力ポートが２ポート化していないので、タイミングコントローラのポート数（出力ピン数）が極端に増加することが抑制されている。詳細は後述するが、例えばＲＳＤＳ方式などでは、画像データ信号は最大周波数でトグルするようなクリティカルな信号波形にはならないので、そのＥＭＩへの寄与はクロック信号ほど大きくない。従って、クロック信号の伝送にＬ字型配線を用いることで、それに起因するＥＭＩの成分が低減されれば、充分な効果が得られる。
【発明を実施するための最良の形態】
【００１４】
以下に本発明の実施の形態について説明する。この実施の形態では、表示装置におけるＴ−ＣＯＮからコラムドライバへのクロック信号および画像データ信号の伝達方式を、ＲＳＤＳ方式として説明する。但し、本発明はＲＳＤＳ方式への適用に限定されるものではなく、例えばｍｉｎｉ−ＬＶＤＳなど、差動信号方式の信号伝送が行われるシステムに広く適用可能である。
【００１５】
＜実施の形態１＞
まず説明の便宜のため、本発明の説明に先立って、従来の表示装置について説明する。図２〜図４は表示装置の構成の具体例を示す図である。
【００１６】
図２の例において、表示パネル１１を駆動するコラムドライバ１５はＴＣＰ（Tape Carrier Package）あるいはＣＯＦ（Chip on Film）１４（以下「ＴＣＰ／ＣＯＦ１４」と称す）に搭載されており、当該ＴＣＰ／ＣＯＦ１４は、表示パネル１１および回路基板１２にそれぞれＡＣＦ（Anisotropic Conductive Film）を介して接続している。この例では、表示装置はコラムドライバ１５を８個有している。例えば、ＸＧＡ（１０２４×７６８画素）の表示パネルを駆動するために、１個あたりのデータ出力本数が３８４本（１２８画素分のＲＧＢデータ）のコラムドライバを使用した場合などがこのケースに相当する。コラムドライバ１５を搭載したＴＣＰ／ＣＯＦ１４は、表示パネル１１の一辺に沿うように設けられている。Ｔ−ＣＯＮ１３は回路基板１２に搭載されており、その位置はＴ−ＣＯＮ１３に信号を入力するための入力コネクタ１６（外部入力端子）および表示パネル１１との位置関係や配線のし易さなどを考慮して決定される。図２の例では、Ｔ−ＣＯＮ１３は回路基板１２の中央部近傍に配設されている。図中の矢印は信号の流れを示している。Ｔ−ＣＯＮ１３は回路基板１２の中央部近傍に配設される場合、信号は中央部付近で２方向に分けられてからそれぞれ左右の各コラムドライバ１５に供給されるケースが多く、Ｔ字配線が採用される（後で示す図６参照）。
【００１７】
一方、図３の例においては、Ｔ−ＣＯＮ１３は回路基板１２の一端部に配設されている。この場合は、信号は当該一端部からコラムドライバ１５の並びに沿って一方向に伝達されながら各コラムドライバ１５に供給されるケースが多く、信号線としてＬ字配線が採用される（後で示す図５参照）。
【００１８】
なお、図２および図３においては、回路基板１２における部品搭載面（Ｔ−ＣＯＮ１３の搭載面）は、ＴＣＰ／ＣＯＦ１４への接続面と同じ側の面になっているが、それとは反対側の面となる場合もある。またＴＣＰ／ＣＯＦ１４としては、コラムドライバ１５が回路基板１２および表示パネル１１への接続面と同じ面に配置される形態もあれば、反対の面に配置される形態もある（一般的にＴＣＰの場合はどちらの形態もあり得るが、ＣＯＦの場合は後者の形態のみとなる）。
【００１９】
また上の２つの例では、コラムドライバ１５がＴＣＰ／ＣＯＦ１４上に設けられたケースを示したが、近年では図４のようにコラムドライバ１５を表示パネル１１自身が搭載したＣＯＧ（Chip On Glass）の態様もある。その場合、回路基板１２と表示パネル１１とはＦＰＣ（Flexible Printed Circuit）１８上の信号線を介して接続されるケースが多い。
【００２０】
図４のように回路基板１２に接続するＦＰＣ接続コネクタ１７がＦＰＣ１８の中央部近傍に設けられる場合、Ｔ−ＣＯＮ１３からの信号はＦＰＣ１８の中央部付近で２方向に分けられてから表示パネル１１上の各コラムドライバ１５に供給されるケースが多く、ＦＰＣ１８上の配線としてＴ字配線が採用される。また図示は省略するが、ＦＰＣ接続コネクタ１７がＦＰＣ１８の一端部近傍に設けられる場合には、Ｔ−ＣＯＮ１３からの信号は当該一端部からコラムドライバ１５の並びに沿って一方向に伝達されながら表示パネル１１上の各コラムドライバ１５に供給されるケースが多く、ＦＰＣ１８上の配線としてＬ字配線が採用される。
【００２１】
また図５および図６は共に、従来の表示装置の構成を説明するための図であり、表示装置におけるＴ−ＣＯＮとコラムドライバとの接続関係を示すブロック図である。
【００２２】
図５および図６に示す表示装置の各々は、８個のコラムドライバＣＤ１〜ＣＤ８（「コラムドライバＣＤ」と総称することもある）を備えている。コラムドライバＣＤ１〜ＣＤ８は、表示パネルの１辺に沿うように、ＣＤ１，ＣＤ２，・・・，ＣＤ８の順に並べて配設される。
【００２３】
８個のコラムドライバＣＤ１〜ＣＤ８のそれぞれは、タイミングコントローラ１０（以下「Ｔ−ＣＯＮ１０」と称す）からクロック信号およびそれに同期する画像データ信号を受け、それらに基づいて表示パネルを駆動する。また、Ｔ−ＣＯＮ１０からは所定のタイミングでスタートパルスＳＰが出力されており、８個のコラムドライバＣＤを数珠繋ぎに接続する信号線を通してコラムドライバＣＤ１、ＣＤ２、・・・、ＣＤ８へと順に転送される。それによって、各コラムドライバＣＤがシリアルに伝送されてくる画像データを読み込むタイミングが規定される。
【００２４】
本実施の形態では、Ｔ−ＣＯＮ１０からコラムドライバＣＤへのクロック信号および画像データ信号の伝送はＲＳＤＳ方式により行われる。それらの信号の伝送線路としては、Ｐ側（＋側）とＮ側（−側）の一対の信号線から成る差動配線が用いられる。説明の便宜上、以下においては、クロック信号の差動配線を「クロック線」、画像データ信号の差動配線を「データ線」と称する。
【００２５】
ＲＳＤＳ方式を用いた表示装置では、動作周波数を抑制しつつ高い解像度を実現するため、画像データ信号は複数のデータ線を用いてパラレルに複数ビットが伝送される。例えば図７は、６ビット／カラーのＲＳＤＳデータのマッピングを示している。同図中、CLK P/Nはクロック信号、SPはスタートパルス、DxxP/N（xx＝00，01，02，10，11，12，20，21，22）は画像データ信号を示している。Ｓｎ（ｍ）はコラムドライバ出力のｎライン目におけるｍ番目のビットのデータを表しており、ダブルエッジでサンプリングされ下位ビットから２ビットごとにそれぞれのデータ線でシリアル伝送される。従って、６ビットのＲＧＢデータの伝送では、６×３÷２＝９ペアのデータ線が必要となる。即ち、必要なデータ線の数をＮとすると、６ビットのＲＧＢデータを伝送するＲＳＤＳでは、Ｎ＝９である。同様に、８ビットのＲＧＢデータのＲＳＤＳの場合には、Ｎ＝１２となる。
【００２６】
図５の従来例では、Ｔ−ＣＯＮ１０がコラムドライバＣＤ１〜ＣＤ８のうち端のコラムドライバＣＤ１の近くに配設されるので、Ｔ−ＣＯＮ１０からコラムドライバＣＤへのクロック信号（図７のCLK P/N）および画像データ信号（図７のDxxP/N）の伝送を行うクロック線ＣＬＫおよびＮ個のデータ線ＤＡ（１）〜ＤＡ（Ｎ）（「データ線ＤＡ」と総称することもある）としてＬ字型配線構造が採用される。
【００２７】
即ち、クロック線ＣＬＫおよびＮ個のデータ線ＤＡ（１）〜ＤＡ（Ｎ）の各々は、Ｔ−ＣＯＮ１０から、コラムドライバＣＤ１，ＣＤ２，・・・，ＣＤ８の順に、コラムドライバＣＤの並びに沿って１方向に配線される。そして、電流から電圧への変換並びに信号の反射の抑制のために、クロック線ＣＬＫは終端抵抗ＲCLKで終端され、データ線ＤＡ（１）〜ＤＡ（Ｎ）はそれぞれ終端抵抗Ｒ（１）〜Ｒ（Ｎ）で終端される。
【００２８】
このようにＬ字型配線構造では、データ線ＤＡおよびクロック線ＣＬＫは、コラムドライバＣＤの並びの一端から他端へ向かう１方向に配線され、その他端側が終端抵抗で終端される。言い換えれば、Ｌ字型配線構造では、データ線ＤＡおよびクロック線ＣＬＫは、それぞれＴ−ＣＯＮ１０に接続する第１端、終端抵抗Ｒにより終端された第２端、および第１端と第２端との間で分岐しコラムドライバＣＤに接続する第３端を備え、終端される第２端を１つのみ有する構造となる。
【００２９】
図６の従来例では、Ｔ−ＣＯＮ１０がコラムドライバＣＤ１〜ＣＤ８の中央のコラムドライバＣＤ４，ＣＤ５の近くに配設されるので、Ｔ−ＣＯＮ１０からコラムドライバＣＤへのクロック信号（図７のCLK P/N）および画像データ信号（図７のDxxP/N）の伝送を行うクロック線ＣＬＫおよびデータ線ＤＡとしてＴ字型配線構造が採用される。
【００３０】
即ち、Ｔ−ＣＯＮ１０から延びるクロック線ＣＬＫおよびＮ本のデータ線ＤＡ（１）〜ＤＡ（Ｎ）の各々は、コラムドライバＣＤ４，ＣＤ５の間で、それぞれコラムドライバＣＤ１〜ＣＤ４側とコラムドライバＣＤ５〜ＣＤ８側の２方向に分岐する。コラムドライバＣＤ１〜ＣＤ４側に分岐したクロック線ＣＬＫおよびデータ線ＤＡは、各々コラムドライバＣＤ１〜ＣＤ４の並びに沿ってＴ−ＣＯＮ１０側からＣＤ４，ＣＤ３，ＣＤ２，ＣＤ１の順に配線され、且つ、それぞれ終端抵抗ＲCLK1および終端抵抗Ｒ1（１）〜Ｒ1（Ｎ）で終端される。一方、コラムドライバＣＤ５〜ＣＤ８側に分岐したクロック線ＣＬＫおよびＮ本のデータ線ＤＡは、各々コラムドライバＣＤ５〜ＣＤ８の並びに沿って、Ｔ−ＣＯＮ１０側からＣＤ５，ＣＤ６，ＣＤ７，ＣＤ８の順に配線され、且つ、それぞれ終端抵抗ＲCLK2および終端抵抗Ｒ2（１）〜Ｒ2（Ｎ）で終端される。
【００３１】
このようにＴ字型配線構造では、データ線ＤＡおよびクロック線ＣＬＫは、中央から両端に向かって配線されるため、その両端側が終端抵抗で終端される。言い換えれば、Ｔ字型配線は、上記の「第２端」を２つ有することとなる。
【００３２】
Ｔ字型配線はＬ字型配線に比べると分岐があるため信号の反射が大きくなり、信号波形の歪みが大きい傾向にある。また上記のとおり、反射を抑制するための終端抵抗は、１つの差動配線あたりＬ字型配線の場合は１個、Ｔ字型配線の場合には２個必要となる。
【００３３】
ＲＳＤＳでは差動配線の終端抵抗は１００Ωであるが、Ｔ字型配線の場合には両端の２個の終端抵抗が並列接続されるので、Ｔ−ＣＯＮ１０のＲＳＤＳ出力側からみた実効インピーダンスは５０Ωとなる（但し、実使用時ではコラムドライバＣＤの入力容量などの影響で実効インピーダンスが下がるため、実際の終端抵抗値は理論値よりも小さくすることが多い）。そのため、Ｌ字型配線の場合と同じ信号振幅をＴ字型配線で得るためには、Ｔ−ＣＯＮ１０のＲＳＤＳ出力電流を約２倍に上げる必要がある。
【００３４】
つまりＴ字型配線は、Ｌ字型配線に比較すると、信号波形の歪みが大きく且つ配線に流れる電流が大きいため、ＥＭＩが増加する傾向にあり好ましくない。従って、ＥＭＩ対策の視点からは、できる限りＬ字型配線構造を採用することが望ましい。
【００３５】
ＸＧＡの表示装置を想定した伝送線路シミュレーション結果を図８（ａ），（ｂ）に示す。当該シミュレーションでは、８個のコラムドライバに接続した差動配線を想定しており、図８（ａ）はＬ字型配線における差動信号波形、図８（ｂ）はＴ字型配線における差動信号波形のシミュレーション結果をそれぞれ示している。両方とも、コラムドライバの入力端における波形を示している。図８（ａ），（ｂ）から分かるように、このシミュレーションにおいても、Ｌ字型配線の信号波形（図８（ａ））の方が歪みが少ないという結果が得られ、Ｌ字型配線の優位性が確認できる。
【００３６】
このＬ字型配線の優位性にも関わらず、現在でもＴ字型配線構造が一般的に使用されているのは、Ｔ−ＣＯＮを常に基板の一端部に配置してＬ字型配線構造を採ることが困難なためである。基板上のＴ−ＣＯＮの位置は、表示装置の外部入力端子との位置関係や配線のし易さなどを考慮して決定する必要がある上、表示装置のコスト削減のために基板面積の増加を抑える必要があるため、Ｔ−ＣＯＮの位置に制限が加わることがその理由である。
【００３７】
図１は実施の形態１に係る表示装置およびＴ−ＣＯＮの構成を説明するための図であり、表示装置におけるＴ−ＣＯＮとコラムドライバとの接続関係を示すブロック図である。この図において、図５および図６に示したものと同様の要素については同一符号を付してあるので、それらのここでの詳細な説明は省略する。
【００３８】
図１に示す表示装置においては、Ｔ−ＣＯＮ１０がコラムドライバＣＤ１〜ＣＤ８の並びの中央（コラムドライバＣＤ４，ＣＤ５の間）に配設される。その場合、従来では図６のようにＴ字型配線構造を採っていたが、本実施の形態では、クロック信号（CLK P/N）はＴ−ＣＯＮ１０から延びる２つのＬ字型配線を通して各コラムドライバＣＤに伝送される。即ち、クロック信号は、Ｔ−ＣＯＮ１０からコラムドライバＣＤの並びの一端側（コラムドライバＣＤ１側）へ向かうＬ字型配線であるクロック線ＣＬＫ１および、他端側（コラムドライバＣＤ８側）へ向かうＬ字型配線であるクロック線ＣＬＫ２の２つを用いて伝達される。
【００３９】
つまり、本実施の形態に係るＴ−ＣＯＮ１０は、クロック線ＣＬＫ１が接続するクロック出力ポートと、クロック線ＣＬＫ２が接続するクロック出力ポートとの２つを有している。これらの各ポートは、各々一対の差動ペアから成っている。本実施の形態においては、２つのクロック出力ポートは互いに同一のクロック信号（CLK P/N）を出力する。よって、各コラムドライバＣＤは、クロック線ＣＬＫ１，ＣＬＫ２のいずれか片方に接続すればよい。図１の例では、Ｔ−ＣＯＮ１０がコラムドライバＣＤ４，ＣＤ５の間に配設されているため、クロック線ＣＬＫ１にコラムドライバＣＤ１〜ＣＤ４を接続させ、クロック線ＣＬＫ２にコラムドライバＣＤ５〜ＣＤ８を接続させている。
【００４０】
このように、Ｔ−ＣＯＮ１０のクロック出力ポートが２ポート化されているので、Ｔ−ＣＯＮ１０から両側へ向かって、２つのＬ字型配線（クロック線ＣＬＫ１およびクロック線ＣＬＫ２）を配線することができる。従って、Ｔ−ＣＯＮ１０をコラムドライバが搭載される基板の一端部に配置困難なためその中央付近に配置した場合であっても、クロック信号の伝送を、Ｔ字型配線を用いず、Ｌ字型配線のみを通して行うことができる。よって、クロック信号の波形の劣化が抑制され、クロック信号に起因するＥＭＩの成分が低減される。
【００４１】
一方、このＴ−ＣＯＮ１０において、画像データを出力するデータ出力ポートは、２ポート化されていない。つまり、上で説明したＳＸＧＡを超える解像度のｍｉｎｉ−ＬＶＤＳのような画面を左右（あるいは上下）に２分割しての駆動は行わない。従ってＴ−ＣＯＮ１０は、水平方向（あるいは垂直方向）の１ライン分の画像データを分割することなく各コラムドライバＣＤに伝達する。よって、Ｔ−ＣＯＮ１０のデータ出力ポートの各々からは、水平または垂直方向の１ライン全体分の前記画像データ信号が出力される。従ってＴ−ＣＯＮ１０がコラムドライバＣＤの並びの中央付近に配設されたときは、データ線ＤＡには図１の如くＴ字型配線構造が採用される。そのため本実施の形態においては、画像データ信号に起因するＥＭＩの成分は、従来の表示装置と殆ど変わらないと考えられる。
【００４２】
但し、例えばＲＳＤＳ方式では、図７のデータマッピングに示したように、画像データ信号が下位ビットから２ビットずつシリアル伝送される形態である。そのため、ＥＭＩ測定時に通例として使用されている中間調を用いない黒背景に白の“Ｈ”文字パターン表示においても、画像データ信号は、クロック信号と異なり最大周波数でトグルするようなクリティカルな信号波形にはならない（白背景に黒文字の場合も同様である）。つまり、表示装置が発生するＥＭＩは、画像データ信号よりもクロック信号の寄与が大きい。従って、ＥＭＩを低減させるためには、クロック信号の波形を改善することがより効果的であると言える。本発明はその特性に着目して成されている。
【００４３】
即ち、本実施の形態によれば、画像データ信号に起因するＥＭＩの成分は従来と同程度であるが、クロック信号に起因する成分を低減できるので、表示装置全体としてのＥＭＩを効果的に低減することができる。
【００４４】
なお、Ｔ−ＣＯＮのクロック出力ポートだけでなくデータ出力ポートをも２ポート化し、常にデータ線およびクロック線の両方ともＬ字配線にできるようにする手法も考えられる。しかし、一般にデータ出力ポートは、画像データ信号のパラレル出力のために複数個必要である。上述したように、例えばＲＳＤＳでは、６ビット／カラーのＲＧＢデータでは９ペア、８ビット／カラーのＲＧＢデータでは１２ペアのポートが必要である。従って、各データ出力ポートまで２ポート化すると、Ｔ−ＣＯＮのポート数（出力ピン数）が極端に増加する結果となり、Ｔ−ＣＯＮの回路規模の増大やコストアップを招いてしまうので望ましくない。つまり本実施の形態によれば、Ｔ−ＣＯＮの回路規模の増大やコストアップを抑制しつつ、ＥＭＩを低減することができる。
【００４５】
また、図１では、Ｔ−ＣＯＮ１０がコラムドライバＣＤ４，ＣＤ５の間に配設されているため、クロック線ＣＬＫ１にコラムドライバＣＤ１〜ＣＤ４を接続させ、クロック線ＣＬＫ２にコラムドライバＣＤ５〜ＣＤ８を接続させたが、本発明の適用はその構造に限定されるものではない。例えば、Ｔ−ＣＯＮ１０をコラムドライバＣＤ３，ＣＤ４の間に配設せざるを得ない場合には、クロック線ＣＬＫ１にコラムドライバＣＤ１〜ＣＤ３を接続させ、クロック線ＣＬＫ２にコラムドライバＣＤ４〜ＣＤ８を接続させてもよい。即ち、コラムドライバＣＤの各々が２つのクロック線ＣＬＫ１，ＣＬＫ２のどちらに接続するかは、Ｔ−ＣＯＮ１０との位置関係に応じて適宜変更できる。つまり、本実施の形態によれば、Ｔ−ＣＯＮ１０の位置に関わらず、常にクロック信号はＬ字型配線のみで伝達され、ＥＭＩ低減の効果が得られる。
【００４６】
なお、本実施の形態においても、Ｔ−ＣＯＮ１０をコラムドライバＣＤ１の近くに配設可能な場合には、図５と同様にクロック線（クロック線ＣＬＫ１、ＣＬＫ２のいずれか片方）およびデータ線ＤＡをＬ字型配線構造にすることができる。Ｔ−ＣＯＮ１０の２つのクロック出力ポートは同一のクロック信号を出力するので、その場合には、２つのうちどちらか片方のみを使用すればよい。
【００４７】
また、本実施の形態において、Ｔ−ＣＯＮ１０、コラムドライバＣＤおよび表示パネルの接続態様としては、図２および図３に示したようにＴＣＰあるいはＣＯＦを用いたものであってもよいし、図４に示したようにＣＯＧを用いたものであってもよい。即ち、図１に示したデータ線ＤＡおよびクロック線ＣＬＫ１，ＣＬＫ２は、Ｔ−ＣＯＮ１０が搭載された回路基板に形成されていてもよいし、Ｔ−ＣＯＮ１０が搭載された回路基板とＣＯＧの表示パネルとを接続するＦＰＣに形成されていてもよい。
【００４８】
以上の説明においては、コラムドライバＣＤが常にＣＤ１，ＣＤ２，・・・，ＣＤ８の順に一方向スキャンを行う表示装置について説明したが、本発明の適用はそれに限られるものではない。例えば図９は本実施の形態の変形例を示す図であり、本実施の形態を双方向スキャン対応の表示装置に適用した例である。同図の如く、Ｔ−ＣＯＮ１０はスタートパルスＳＰの出力を、順スキャン用と逆スキャン用の２つ有している。
【００４９】
図９の表示装置において順スキャン時には、Ｔ−ＣＯＮ１０は所定のタイミングで順スキャン用のスタートパルスＳＰ（forward）をコラムドライバＣＤ１に入力する。当該スタートパルスＳＰ（forward）は、８個のコラムドライバＣＤを数珠繋ぎに接続する信号線を通してコラムドライバＣＤ１、ＣＤ２、・・・、ＣＤ８へと順に転送され、各コラムドライバＣＤはそれに従って動作する。逆スキャン時には、Ｔ−ＣＯＮ１０は所定のタイミングで逆スキャン用のスタートパルスＳＰ（reverse）をコラムドライバＣＤ８に入力し、今度はコラムドライバＣＤ８、ＣＤ７、・・・、ＣＤ１と順に転送され、各コラムドライバＣＤはそれに従って動作する。
【００５０】
なお、図９においては各コラムドライバＣＤ間のスタートパルスＳＰの信号線の両端に矢印を付しているが、これはスキャン方向に応じてスタートパルスＳＰの伝達方向が変わることを示したものである。
【００５１】
＜実施の形態２＞
上述したように、Ｔ字型配線の場合とＬ字型配線の場合とでは終端抵抗の個数が異なるため、伝達する信号の振幅を両者間で同じにするためには、Ｔ−ＣＯＮの出力電流値を変更する必要がある。具体的には、Ｔ字型配線の場合は、Ｌ字型配線のおよそ２倍の電流値が必要である。
【００５２】
また、Ｔ−ＣＯＮの出力バッファの出力電流値は、クロック線およびデータ線を伝達する信号の振幅に直接影響するので、ＥＭＩを低滅させるためには、コラムドライバの入力の規格値を満たす範囲で可能な限り小さくすることが望ましい。
【００５３】
実施の形態１のＴ−ＣＯＮ１０においては、図１のように、２つのクロック出力ポートにはＬ字型配線（クロック線ＣＬＫ１，ＣＬＫ２）が接続し、データ出力ポートにはＴ字型配線（データ線ＤＡ）が接続するケースが想定される。そこで本実施の形態では、実施の形態１のＴ−ＣＯＮ１０において、データ出力ポートの出カバッファの出力電流と、クロック出力ポートの出カバッファの出力電流とを、個別に調整できるようにする。
【００５４】
それにより、データ出力ポートの出カ電流をＴ字型配線に適した電流値に維持しつつ、クロック出力ポートの出カ電流をＬ字型配線に適した電流値（例えばデータ出力ポートの１／２程度）に設定することができる。
【００５５】
従って、実施の形態１において、ＥＭＩへの寄与が大きいクロック信号の振幅をより適切に設定することが可能になり、より効果的にＥＭＩの低減を図ることができる。また、データ出力ポートおよびクロック出力ポートの出力電流が個別に調整できることで、様々な回路基板にも対応することができるようになり、広い汎用性が得られるという利点もある。
【００５６】
また、Ｔ−ＣＯＮ１０をコラムドライバＣＤ１の近くに配設して、図５と同様にクロック線（クロック線ＣＬＫ１、ＣＬＫ２のいずれか片方）およびデータ線ＤＡの両方をＬ字型配線構造にする場合には、データ出力ポートおよびクロック出力ポートの両方をＬ字型配線に適した電流値に設定することもできる。
【００５７】
Ｔ−ＣＯＮ１０の出力バッファの出力電流を調整する手段としては、例えば、Ｔ−ＣＯＮ１０に、データ出力ポートおよびクロック出力ポートの出力バッファの出力電流調整用の外付け抵抗器をそれぞれ設け、その抵抗値を個々に調整することにより各出力電流を調整できるように構成すればよい。
【図面の簡単な説明】
【００５８】
【図１】本発明の実施の形態１に係る表示装置およびＴ−ＣＯＮの構成を説明するための図である。
【図２】従来の表示装置の構成の一例を示す図である。
【図３】従来の表示装置の構成の一例を示す図である。
【図４】従来の表示装置の構成の一例を示す図である。
【図５】従来のＬ字型配線構造を有する表示装置の構成を説明するための図である。
【図６】従来のＴ字型配線構造を有する表示装置の構成を説明するための図である。
【図７】ＲＳＤＳのデータマッピングを示す図である。
【図８】本発明の効果を説明するための伝送線路シミュレーション結果を示す図である。
【図９】本発明の実施の形態１の変形例を示す図である。
【符号の説明】
【００５９】
１０  タイミングコントローラ、ＣＤ１〜ＣＤ８  コラムドライバ、ＣＬＫ，ＣＬＫ１，ＣＬＫ２  クロック線、ＤＡ  データ線、ＳＰ  スタートパルスＳＰ。
【図１】
2006317828.tif 000003
【図２】
2006317828.tif 000004
【図３】
2006317828.tif 000005
【図４】
2006317828.tif 000006
【図５】
2006317828.tif 000007
【図６】
2006317828.tif 000008
【図７】
2006317828.tif 000009
【図８】
2006317828.tif 000010
【図９】
2006317828.tif 000011